(57)【特許請求の範囲】
【請求項１】
光源と、前記光源を収容するケースと、前記光源を前記ケースに固定するための１つ又は複数の固定具とを備え、
前記光源は、基板に複数の固体発光素子が実装されて構成される光源モジュールと、前記光源モジュールを支持する支持部材とを有し、
前記支持部材は、長尺の矩形平板状に形成され、前面に前記光源モジュールが取り付けられる底板と、前記底板の長手方向に沿った両端から同じ向きに突出する一対の側板とを有し、
前記固定具は、前記ケースに固定される固定片と、前記側板に取り付けられる一対の取付片とを有し、前記取付片は、前記側板の板厚の方向に沿って突出する突起部を有し、
前記側板は、前記突起部が嵌まる取付孔を有し、
前記固定具は、前記突起部が前記取付孔に嵌められることで前記側板に取り付けられるように構成され、
前記側板は、前記取付片に設けられる引掛孔に引っ掛けられる引掛片を有することを特徴とする光源ユニット。
【請求項２】
光源と、前記光源を収容するケースと、前記光源を前記ケースに固定するための１つ又は複数の固定具とを備え、
前記光源は、基板に複数の固体発光素子が実装されて構成される光源モジュールと、前記光源モジュールを支持する支持部材とを有し、
前記支持部材は、長尺の矩形平板状に形成され、前面に前記光源モジュールが取り付けられる底板と、前記底板の長手方向に沿った両端から同じ向きに突出する一対の側板とを有し、
前記固定具は、前記ケースに固定される固定片と、前記側板に取り付けられる一対の取付片とを有し、前記取付片は、前記側板の板厚の方向に沿って突出する突起部を有し、
前記側板は、前記突起部が嵌まる取付孔を有し、
前記固定具は、前記突起部が前記取付孔に嵌められることで前記側板に取り付けられるように構成され、
複数の前記固定具は、前記側板に対して、前記底板の長手方向に沿って移動しないように取り付けられる第２の固定具を少なくとも１つ含み、
前記側板は、前記第２の固定具の前記取付片に設けられる引掛孔に引っ掛けられる引掛片を有し、
前記第２の固定具が有する前記引掛孔は、前記引掛片よりも幅を狭くするように構成されることを特徴とする光源ユニット。
【請求項３】
前記第２の固定具の前記引掛孔に引っ掛かる前記引掛片は、板厚の方向を、前記底板の長手方向と交差する方向とするように構成されることを特徴とする請求項２記載の光源ユニット。
【請求項４】
前記ケースを器具本体に取り付けるための取付具を備え、
前記取付具は、前記ケースを介して前記固定片に固定される第１固定部と、前記器具本体に固定される第２固定部と、前記第１固定部と前記第２固定部を連結する連結部とを有することを特徴とする請求項１〜３のいずれか１項に記載の光源ユニット。
【請求項５】
前記第１固定部は、締結部材によって前記固定片に締結されて固定され、
前記一対の取付片は、前記締結部材の締結方向に直交する方向から見て、それぞれの前記突起部と前記締結部材が直線上に並ぶように構成されることを特徴とする請求項４記載の光源ユニット。
【請求項６】
光源と、前記光源を収容するケースと、前記光源を前記ケースに固定するための１つ又は複数の固定具とを備え、
前記光源は、基板に複数の固体発光素子が実装されて構成される光源モジュールと、前記光源モジュールを支持する支持部材とを有し、
前記支持部材は、長尺の矩形平板状に形成され、前面に前記光源モジュールが取り付けられる底板と、前記底板の長手方向に沿った両端から同じ向きに突出する一対の側板とを有し、
前記固定具は、前記ケースに固定される固定片と、前記側板に取り付けられる一対の取付片とを有し、前記取付片は、前記側板の板厚の方向に沿って突出する突起部を有し、
前記側板は、前記突起部が嵌まる取付孔を有し、
前記固定具は、前記突起部が前記取付孔に嵌められることで前記側板に取り付けられるように構成され、
前記ケースを器具本体に取り付けるための取付具を備え、
前記取付具は、前記ケースを介して前記固定片に固定される第１固定部と、前記器具本体に固定される第２固定部と、前記第１固定部と前記第２固定部を連結する連結部とを有し、
前記第１固定部は、締結部材によって前記固定片に締結されて固定され、
前記一対の取付片は、前記締結部材の締結方向に直交する方向から見て、それぞれの前記突起部と前記締結部材が直線上に並ぶように構成されることを特徴とする光源ユニット。
【請求項７】
前記固定具を複数備え、複数の前記固定具は、前記側板に対して、前記底板の長手方向に沿って移動可能に取り付けられる第１の固定具を少なくとも１つ含むことを特徴とする請求項１〜６のいずれか１項に記載の光源ユニット。
【請求項８】
光源と、前記光源を収容するケースと、前記光源を前記ケースに固定するための１つ又は複数の固定具とを備え、
前記光源は、基板に複数の固体発光素子が実装されて構成される光源モジュールと、前記光源モジュールを支持する支持部材とを有し、
前記支持部材は、長尺の矩形平板状に形成され、前面に前記光源モジュールが取り付けられる底板と、前記底板の長手方向に沿った両端から同じ向きに突出する一対の側板とを有し、
前記固定具は、前記ケースに固定される固定片と、前記側板に取り付けられる一対の取付片とを有し、前記取付片は、前記側板の板厚の方向に沿って突出する突起部を有し、
前記側板は、前記突起部が嵌まる取付孔を有し、
前記固定具は、前記突起部が前記取付孔に嵌められることで前記側板に取り付けられるように構成され、
前記固定具を複数備え、複数の前記固定具は、前記側板に対して、前記底板の長手方向に沿って移動可能に取り付けられる第１の固定具を少なくとも１つ含み、
前記側板は、前記第１の固定具の前記取付片に設けられる引掛孔に引っ掛けられる引掛片を有し、
前記引掛孔は、前記引掛片を、前記底板の長手方向に沿って移動可能に引っ掛けるように構成されることを特徴とする光源ユニット。
【請求項９】
前記固定具は、矩形平板状の前記固定片と、前記固定片の隣り合わない２辺から突出する一対の前記取付片と、前記固定片の他の２辺から突出する一対の側壁とを有することを特徴とする請求項１〜８のいずれか１項に記載の光源ユニット。
【請求項１０】
請求項１〜９のいずれかの光源ユニットと、前記光源ユニットが取り付けられる器具本体とを備えることを特徴とする照明器具。
【発明の詳細な説明】
【技術分野】
【０００１】
本発明は、光源ユニット及び照明器具に関し、より詳細には、光源をケースに収容して構成される光源ユニット、及び当該光源ユニットを備える照明器具に関する。
【背景技術】
【０００２】
従来例として、特許文献１記載の光源ユニット及び照明器具を例示する。特許文献１記載の照明器具（以下、従来例という）は、光源ユニットと、器具本体とで構成される。器具本体は、その下面に矩形の凹部が長手方向の全長に亘って設けられており、この凹部に光源ユニットを収容するように構成される。光源ユニットは、ＬＥＤモジュールと、ＬＥＤモジュールを支持する支持部材と、ＬＥＤモジュールを支持した支持部材を内部に収納する防水ケースと、電源装置と、取付金具とを備える。
【０００３】
防水ケースは、ケース本体と２つのエンド部材及び防水パッキンで構成される。ケース本体は、透光性を有する合成樹脂材料で両端が開口した長尺の角筒状に形成され、その内部にＬＥＤモジュールを収納するように構成される。ＬＥＤモジュールは、支持部材に支持される。取付金具は、支持部材に固定（ねじ止め）される。そして、支持部材は、複数の取付金具がケース本体にねじ止めされることで防水ケースに固定される。
【先行技術文献】
【特許文献】
【０００４】
【特許文献１】特開２０１５−８８２４２号公報
【発明の概要】
【発明が解決しようとする課題】
【０００５】
ところで、特許文献１記載の光源ユニットは、支持部材に対して複数の取付金具をねじ止めする作業が必要となるため、組立作業の作業性の向上が望まれている。
【０００６】
本発明は、上記課題に鑑みてなされており、組立作業の作業性の向上を図ることを目的とする。
【課題を解決するための手段】
【０００７】
本発明の光源ユニットは、光源と、前記光源を収容するケースと、前記光源を前記ケースに固定するための１つ又は複数の固定具とを備え、前記光源は、基板に複数の固体発光素子が実装されて構成される光源モジュールと、前記光源モジュールを支持する支持部材とを有し、前記支持部材は、長尺の矩形平板状に形成され、前面に前記光源モジュールが取り付けられる底板と、前記底板の長手方向に沿った両端から同じ向きに突出する一対の側板とを有し、前記固定具は、前記ケースに固定される固定片と、前記側板に取り付けられる一対の取付片とを有し、前記取付片は、前記側板の板厚の方向に沿って突出する突起部を有し、前記側板は、前記突起部が嵌まる取付孔を有し、前記固定具は、前記突起部が前記取付孔に嵌められることで前記側板に取り付けられるように構成され、前記側板は、前記取付片に設けられる引掛孔に引っ掛けられる引掛片を有することを特徴とする。
本発明の光源ユニットは、光源と、前記光源を収容するケースと、前記光源を前記ケースに固定するための１つ又は複数の固定具とを備え、前記光源は、基板に複数の固体発光素子が実装されて構成される光源モジュールと、前記光源モジュールを支持する支持部材とを有し、前記支持部材は、長尺の矩形平板状に形成され、前面に前記光源モジュールが取り付けられる底板と、前記底板の長手方向に沿った両端から同じ向きに突出する一対の側板とを有し、前記固定具は、前記ケースに固定される固定片と、前記側板に取り付けられる一対の取付片とを有し、前記取付片は、前記側板の板厚の方向に沿って突出する突起部を有し、前記側板は、前記突起部が嵌まる取付孔を有し、前記固定具は、前記突起部が前記取付孔に嵌められることで前記側板に取り付けられるように構成され、複数の前記固定具は、前記側板に対して、前記底板の長手方向に沿って移動しないように取り付けられる第２の固定具を少なくとも１つ含み、前記側板は、前記第２の固定具の前記取付片に設けられる引掛孔に引っ掛けられる引掛片を有し、前記第２の固定具が有する前記引掛孔は、前記引掛片よりも幅を狭くするように構成されることを特徴とする。
本発明の光源ユニットは、光源と、前記光源を収容するケースと、前記光源を前記ケースに固定するための１つ又は複数の固定具とを備え、前記光源は、基板に複数の固体発光素子が実装されて構成される光源モジュールと、前記光源モジュールを支持する支持部材とを有し、前記支持部材は、長尺の矩形平板状に形成され、前面に前記光源モジュールが取り付けられる底板と、前記底板の長手方向に沿った両端から同じ向きに突出する一対の側板とを有し、前記固定具は、前記ケースに固定される固定片と、前記側板に取り付けられる一対の取付片とを有し、前記取付片は、前記側板の板厚の方向に沿って突出する突起部を有し、前記側板は、前記突起部が嵌まる取付孔を有し、前記固定具は、前記突起部が前記取付孔に嵌められることで前記側板に取り付けられるように構成され、前記ケースを器具本体に取り付けるための取付具を備え、前記取付具は、前記ケースを介して前記固定片に固定される第１固定部と、前記器具本体に固定される第２固定部と、前記第１固定部と前記第２固定部を連結する連結部とを有し、前記第１固定部は、締結部材によって前記固定片に締結されて固定され、前記一対の取付片は、前記締結部材の締結方向に直交する方向から見て、それぞれの前記突起部と前記締結部材が直線上に並ぶように構成されることを特徴とする。
本発明の光源ユニットは、光源と、前記光源を収容するケースと、前記光源を前記ケースに固定するための１つ又は複数の固定具とを備え、前記光源は、基板に複数の固体発光素子が実装されて構成される光源モジュールと、前記光源モジュールを支持する支持部材とを有し、前記支持部材は、長尺の矩形平板状に形成され、前面に前記光源モジュールが取り付けられる底板と、前記底板の長手方向に沿った両端から同じ向きに突出する一対の側板とを有し、前記固定具は、前記ケースに固定される固定片と、前記側板に取り付けられる一対の取付片とを有し、前記取付片は、前記側板の板厚の方向に沿って突出する突起部を有し、前記側板は、前記突起部が嵌まる取付孔を有し、前記固定具は、前記突起部が前記取付孔に嵌められることで前記側板に取り付けられるように構成され、前記固定具を複数備え、複数の前記固定具は、前記側板に対して、前記底板の長手方向に沿って移動可能に取り付けられる第１の固定具を少なくとも１つ含み、前記側板は、前記第１の固定具の前記取付片に設けられる引掛孔に引っ掛けられる引掛片を有し、前記引掛孔は、前記引掛片を、前記底板の長手方向に沿って移動可能に引っ掛けるように構成されることを特徴とする。
【０００８】
本発明の照明器具は、光源ユニットと、前記光源ユニットが取り付けられる器具本体とを備えることを特徴とする。
【発明の効果】
【０００９】
本発明の光源ユニット及び照明器具は、組立作業の作業性の向上を図ることができるという効果がある。
【図面の簡単な説明】
【００１０】
【図１】本実施形態に係る光源ユニット及び照明器具の断面図である。
【図２】本実施形態に係る光源ユニット及び照明器具の分解斜視図である。
【図３】本実施形態に係る光源ユニットにおけるＬＥＤモジュール及び支持部材の一部省略した平面図である。
【図４】本実施形態に係る光源ユニットの支持部材及び固定具を示す一部省略した側面図である。
【図５】本実施形態に係る光源ユニットの支持部材を示し、図５Ａは長手方向の一端部の側面図、図５Ｂは長手方向の中央部の側面図である。
【図６】本実施形態に係る光源ユニットの一部省略した斜視図である。
【図７】本実施形態に係る光源ユニットの一部省略した端部の断面図である。
【図８】本実施形態に係る光源ユニットの一部省略した中央部の断面図である。
【図９】図９Ａは本実施形態に係る照明器具の正面図、図９Ｂは本実施形態に係る照明器具の平面図、図９Ｃは本実施形態に係る照明器具の左側面図である。
【発明を実施するための形態】
【００１１】
以下、本実施形態に係る光源ユニット２及び照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。また、以下の説明においては、特に断りのない限り、図２において上下、前後、左右の各方向を規定する。すなわち、光源ユニット２及び照明器具の長手方向を左右方向とし、光源ユニット２及び照明器具の短手方向を前後方向とし、光源ユニット２及び照明器具の高さ方向を上下方向とする。また、以下では、「方向」と「向き」を区別して使用する。例えば、「左右方向」には、「左向き」と「右向き」の２つの向きが存在し、２つの「向き」を区別しない場合は「〜方向」とし、２つの「向き」を区別する場合は「〜向き」という。
【００１２】
本実施形態に係る照明器具は、図１及び図２に示すように、光源ユニット２と、器具本体１とで構成される。本実施形態に係る照明器具は、防湿・防雨型の照明器具であって、集合住宅の開放廊下の天井や、屋外の駐輪場の軒下、倉庫のトラックヤードの軒下、湿気の多い食品工場の天井などに設置されることが好ましい。ただし、本発明の技術思想が適用可能な光源ユニット及び照明器具は防湿・防雨型に限定されない。
【００１３】
器具本体１は、亜鉛鋼板などの金属板により、下面が開口した長尺の直方体形状（箱状）に形成される。より詳細には、器具本体１は、天板１０と、一対の第１側壁１１Ａ、１１Ｂと、一対の第２側壁１２Ａ、１２Ｂとを有する（図２参照）。天板１０は、長尺の矩形平板状に形成される。なお、天板１０は、電源ケーブルが挿通される孔と、取付用のボルトが挿通される長孔とが、短手方向（前後方向）の中央かつ長手方向（左右方向）の中央と両端にそれぞれ設けられることが好ましい。一対の第１側壁１１Ａ、１１Ｂは、長手方向の寸法が天板１０の長手方向の寸法と等しい長尺の矩形平板状に形成される。一方の第１側壁１１Ａは、天板１０の前端から下向きに突出し、他方の第１側壁１１Ｂは、天板１０の後端から下向きに突出する。また、一対の第２側壁１２Ａ、１２Ｂは、長手方向の寸法が天板１０の短手方向の寸法と等しい矩形平板状に形成される。一方の第２側壁１２Ａは、天板１０の左端から下向きに突出し、他方の第２側壁１２Ｂは、天板１０の右端から下向きに突出する。なお、天板１０の長手方向の両端に、それぞれ取付台１３Ａ、１３Ｂが取り付けられる。取付台１３Ａ、１３Ｂは、天板１０に固定される固定片１３０と、固定片１３０から第２側壁１２Ａ、１２Ｂに沿って突出する縦片１３１と、縦片１３１の下端から内向きに突出する取付片１３２とを有する（図２参照）。そして、各取付片１３２には、それぞれねじ孔（雌ねじ）１３３が設けられている。
【００１４】
光源ユニット２は、図１〜図３及び図６に示すように、ＬＥＤモジュール３と、ＬＥＤモジュール３を支持する支持部材４とを備える。さらに、光源ユニット２は、ＬＥＤモジュール３を支持した支持部材４を内部に収容するケース５と、電源装置６と、固定具７と、取付具８とを備えることが好ましい。
【００１５】
ＬＥＤモジュール３は、左右方向に長い矩形板状に形成された基板（プリント配線板）３１を有する（図２及び図３参照）。基板３１は、例えば、メタル基板若しくはセラミック基板で構成されることが好ましい。基板３１の下面には、複数のＬＥＤ（発光ダイオード）３０が長手方向に沿って、一定の間隔を空けて並ぶように実装されている（図３参照）。これら複数のＬＥＤ３０は、基板３１に形成される導体（銅箔）を介して電気的に直列接続される。また、基板３１に形成される導体は、基板３１に実装されるコネクタと、コネクタに電気的に接続される電線とを介して、電源装置６の出力端子と電気的に接続される。
【００１６】
また、基板３１は、短手方向の両端（前端及び後端）に、それぞれ複数の第１溝部３１０及び第２溝部３１１が長手方向に沿って間隔を空けて設けられている（図３参照）。第１溝部３１０及び第２溝部３１１は、基板３１の前端及び後端が矩形に切り欠かれて形成されることが好ましい。
【００１７】
支持部材４は、板金に曲げ加工を施すことで角樋状に形成される（図１及び図２参照）。すなわち、支持部材４は、長尺且つ矩形板状に形成された底板４０と、底板４０の短幅方向（前後方向）における両端から長手方向に沿って上向きに立ち上がる一対の側板４１とを有する。なお、各側板４１の上端には、底板４０と反対側（外側）に巻かれた巻部４１０が形成されている（図１参照）。
【００１８】
支持部材４は、図３に示すように、底板４０の前面（下面）から前向き（下向き）に突出する複数の引掛部４３と、底板４０の前面から前向きに突出する複数の突部４４とを有する。引掛部４３は、鉤形に形成される。引掛部４３は、第１溝部３１０に挿入され、底板４０との間に基板３１を挟み込むことで基板３１を引っ掛けて支持するように構成される。また、突部４４は、第２溝部３１１に挿入され、長手方向における基板３１の移動を規制するように構成される。すなわち、基板３１は、底板４０の前面（下面）に載置された状態から長手方向にスライドされることにより、第１溝部３１０の縁が引掛部４３に引っ掛けられ、かつ、第２溝部３１１に挿入される突部４４によって抜け止めされて底板４０に取り付けられる。
【００１９】
電源装置６は、電源基板と、電源基板を収納する収納ケース６０とを有する（図６参照）。電源基板は、左右方向に長い矩形板状に形成されたプリント配線板からなり、このプリント配線板には、少なくともＬＥＤ３０の点灯電力を生成するために必要な回路部品（例えば、トランスやダイオード、コンデンサなど）が実装されている。収納ケース６０は、長手方向（左右方向）の両端が開口する矩形箱状に形成されている。また、収納ケース６０は、例えば、ねじなどを用いて支持部材４（の底板４０）の上面に取り付けられることが好ましい。
【００２０】
ケース５は、ケース本体５０と２つのエンド部材５１及び防水パッキン５２で構成される（図２参照）。ケース本体５０は、合成樹脂材料によって長手方向の両端が開口した長尺の筒状に形成され、その内部にＬＥＤモジュール３及び支持部材４を収容するように構成されている（図１及び図２参照）。なお、支持部材４は、後述するように３つの固定具７によってケース本体５０に固定される。
【００２１】
また、ケース本体５０は、長尺かつ平坦な後壁５００と、後壁５００の長手方向に沿った両端から下方へ突出する一対の側壁５０１と、一対の側壁５０１の下端同士を繋ぐ前壁５０２とを有する（図２参照）。ただし、一対の側壁５０１と前壁５０２との連結部分は、外側に突出する曲面形状に形成されている（図１参照）。また、一対の側壁５０１は、後壁５００から下に向かって互いに離れるように外側に湾曲している（図１参照）。さらに、前壁５０２は、両端から中央に向かって下向きに膨らむ半円筒形状に形成されている。ただし、ケース本体５０は、透光性を有する合成樹脂材料（アクリル樹脂やポリカーボネート樹脂など）と、透光性を有しない合成樹脂材料との２色押出成形によって形成されることが好ましい。ここで、透光性を有する合成樹脂材料で形成される部位を透過部５０３と呼び、透光性を有しない合成樹脂材料で形成される部位を不透過部５０４と呼ぶことにする（図１参照）。つまり、ＬＥＤモジュール３から放射される光は、透過部５０３を透過する際に配光制御される。なお、透過部５０３は、拡散材が混入されたり、多数の凹凸が形成されたりすることで光を拡散させるように構成されることが好ましい。
【００２２】
エンド部材５１は、図１、図２及び図６に示すように、第１底壁５１０、第２底壁５１１、外周壁５１２、内周壁５１３並びにカバー部５１４を有する。第１底壁５１０は、厚み方向（左右方向）から見た外形が、ケース本体５０を左右方向から見た外形と相似する形状に形成される。第２底壁５１１は、厚み方向（左右方向）から見た外形が、ケース本体５０の透過部５０３を左右方向から見た外形と相似する形状（略半円形状）に形成される。外周壁５１２は、第１底壁５１０の周縁から全周に渡って突出する筒状に形成される。内周壁５１３は、外周壁５１２に対向して第１底壁５１０から突出する筒状に形成される。カバー部５１４は、第２底壁５１１の周縁の弧状の部分から第２底壁５１１の厚み方向に突出し、かつ、その表面を外周壁５１２の表面と同一の曲面（略半円筒面）とする形状に形成される（図２参照）。また、カバー部５１４の下面中央には、円筒形の凹部５１４０が設けられている（図２参照）。さらに、凹部５１４０の底壁には、円形の孔が形成されている。
【００２３】
防水パッキン５２は、シリコーン樹脂などの弾性を有する材料により、エンド部材５１の外周壁５１２及び内周壁５１３に相似した形状（筒状）に形成されている。そして、防水パッキン５２は、エンド部材５１の第１底壁５１０と外周壁５１２と内周壁５１３に囲まれた空間に圧入される（図１参照）。さらに、防水パッキン５２は、外周壁５１２及び内周壁５１３の先端から露出する面に全周に渡る溝５２０が設けられている。そして、この溝５２０にケース本体５０の長手方向における端部が圧入される（図１参照）。つまり、エンド部材５１とケース本体５０の隙間が防水パッキン５２によって密閉され、ケース本体５０内への水（雨水など）の浸入が抑制される。
【００２４】
取付具８は、図１、図２及び図６に示すように、第１固定部８０と、第２固定部８１と、第１固定部８０と第２固定部８１を連結する連結部８２とが金属板を加工することで一体に形成される。第１固定部８０は、平坦な矩形板状に形成され、前後方向の中央に円錐台状の突部８００が設けられる。突部８００の天面には、円形のねじ挿通孔が貫通している。連結部８２は、前後方向から見てＬ形に曲げられている。第２固定部８１は、矩形平板状であって、連結部８２の下端から水平かつ外向きに突出するように構成される。第２固定部８１は、長手方向（前後方向）のほぼ中央に長孔状のねじ挿通孔８１０が設けられている（図６参照）。
【００２５】
固定具７は、固定片７０と、一対の取付片７１と、一対の側壁７２とを有する（図１、図４及び図６参照）。ただし、３つの固定具７は、支持部材４に対して、長手方向（左右方向）に移動可能に取り付けられる２つの固定具（以下、第１の固定具と呼ぶ）７Ａと、長手方向に移動しないように取り付けられる１つの固定具（以下、第２の固定具と呼ぶ）７Ｂとを含む。第１の固定具７Ａは、２つとも同一の構造である。また、第２の固定具７Ｂは、支持部材４（の側板４１）に対する取付構造の一部を除いて、第１の固定具７Ａと共通の構造を有している。なお、以下の説明において、２種類の固定具（第１の固定具７Ａと第２の固定具７Ｂ）の共通の構造については同一の符号を付して説明する。
【００２６】
固定片７０は、矩形平板状に形成され、短手方向（左右方向）の一端（右端）と略中央にねじ孔７００がそれぞれ設けられる（図６参照）。一対の取付片７１は、矩形平板状であって、固定片７０の前端及び後端から下向きに突出するように設けられる。また、各取付片７１には、鈎形の引掛部７３、球体を４等分に分割した形状の突起部７４、並びに矩形の引掛孔７５が設けられている（図１及び図４参照）。突起部７４は、引掛部７３の真下に設けられ、引掛孔７５は、突起部７４と左右方向に並ぶように設けられる（図４参照）。ただし、２つの第１の固定具７Ａのうち、支持部材４の長手方向の一端（図４における右端）に取り付けられる第１の固定具７Ａは、支持部材４の長手方向の中央に取り付けられる第１の固定具７Ａと比較して、引掛孔７５の長手方向の寸法が大きくされることが好ましい（図４参照）。
【００２７】
一対の側壁７２は、矩形平板状であって、固定片７０の左端及び右端から下向きに突出するように設けられる。すなわち、固定具７（第１の固定具７Ａ及び第２の固定具７Ｂ）は、矩形平板状の固定片７０と、固定片７０の隣り合わない２辺から突出する一対の取付片７１と固定片７０の他の２辺から突出する一対の側壁７２とを有する。ただし、固定片７０の左右の両端部は、斜め下向きに折り曲げられている（図１参照）。
【００２８】
一方、支持部材４の各側板４１には、３つの固定具７の突起部７４がそれぞれ嵌まる取付孔４５Ａ、４５Ｂ、４５Ｃが３つずつ設けられる（図４参照）。ただし、３つの取付孔４５Ａ、４５Ｂ、４５Ｃのうち、長手方向の一端（図４における左端）の取付孔４５Ｃは、第２の固定具７Ｂの突起部７４の幅寸法とほぼ同じ幅寸法とされている。また、長手方向の中央の取付孔４５Ｂは、第１の固定具７Ａの突起部７４の幅寸法よりも大きい幅寸法とされている。さらに、長手方向の他端（図４における右端）の取付孔４５Ａは、中央の取付孔４５Ｂの幅寸法よりも大きい幅寸法とされている。ここで、図４、図５Ａ及び図５Ｂに示すように、各側板４１の巻部４１０において、３つの取付孔４５Ａ、４５Ｂ、４５Ｃの中心軸（図４の一点破線参照）と交わる位置に、円形の孔４１１がそれぞれ設けられることが好ましい。
【００２９】
また、各側板４１には、３つの固定具７の引掛孔７５にそれぞれ引っ掛けられる引掛片４６Ａ、４６Ｂ、４６Ｃが３箇所に設けられる（図４参照）。ただし、長手方向の一端（図４における右端）の引掛片４６Ａ、並びに、長手方向の中央の引掛片４６Ｂは、いずれも、側板４１の長手方向（左右方向）に沿って折り曲げられる。一方、長手方向の他端（図４における左端）には、３つの引掛片４６Ｃ１、４６Ｃ２、４６Ｃ３が設けられる。２つの引掛片４６Ｃ１、４６Ｃ２は、図５Ａに示すように、上側に並べて設けられ、１つの引掛片４６Ｃは、下側、かつ、２つの引掛片４６Ｃ１、４６Ｃ２の間の位置に設けられることが好ましい。ただし、これら３つの引掛片４６Ｃ１、４６Ｃ２、４６Ｃ３は、いずれも側板４１の短手方向（上下方向）に沿って折り曲げられる。
【００３０】
次に、光源ユニット２の組立手順について説明する。まず始めに、作業者は、ＬＥＤモジュール３及び電源装置６を取り付けた支持部材４に固定具７（第１の固定具７Ａ及び第２の固定具７Ｂ）を取り付ける。すなわち、作業者は、支持部材４の上から一対の側板４１の間に固定具７を挿入する。このとき、作業者は、支持部材４の長手方向において、各側板４１の孔４１１と、一対の取付片７１の突起部７４とを位置合わせすれば、各突起部７４を側板４１の各取付孔４５Ａ、４５Ｂ、４５Ｃに嵌めることができる。各突起部７４７は、球体を４等分に分割した形状、かつ、球面を下に向けるように形成されているので、球面でない面で各取付孔４５Ａ、４５Ｂ、４５Ｃの上縁に引っ掛かる（図４参照）。続いて、作業者は、ドライバの先端などを使い、各側板４１の引掛片４６Ａ、４６Ｂ、４６Ｃ（４６Ｃ１〜４６Ｃ３）を内側に曲げることで取付片７１の引掛孔７５に引っ掛ける(図４参照)。このようにして、作業者は、３つの固定具７（第１の固定具７Ａ及び第２の固定具７Ｂ）を支持部材４（の側板４１）に取り付けることができる。ここで、第１の固定具７Ａの引掛孔７５の長さが、引掛片４６Ａ、４６Ｂの板厚よりも十分に大きくされ、かつ、取付孔４５Ａ、４５Ｂの長さが、突起部７４の長さよりも大きくされている（図４参照）。したがって、２つの第１の固定具７Ａ、７Ｂは、支持部材４に対して、支持部材４の長手方向（左右方向）に沿って移動可能に取り付けられる。一方、第２の固定具７の引掛孔７５の長さが、２つの引掛片４６Ｃ１、４６Ｃ２の端から端までの長さよりも短くされ、かつ、取付孔４５Ｃの長さ（幅寸法）が、突起部７４の長さ（幅寸法）と同じとされている（図４参照）。したがって、第２の固定具７Ｂは、支持部材４に対して、支持部材４の長手方向（左右方向）に沿って移動しないように取り付けられる（図６参照）。
【００３１】
次に、作業者は、ＬＥＤモジュール３、電源装置６並びに３つの固定具７が取り付けられた支持部材４を、長手方向の一端側からケース本体５０内に挿入して収容する。さらに、作業者は、支持部材４に取り付けられている３つの固定具７にケース本体５０を固定する。すなわち、作業者は、ケース本体５０の後壁５００の長手方向の両端及び中央にそれぞれ設けられているねじ挿通孔に固定ねじ５３をそれぞれ挿通し、各固定片７０の一方のねじ孔７００に固定ねじ５３をねじ込む（図７及び図８参照）。
【００３２】
続いて、作業者は、防水パッキン５２を取り付けたエンド部材５１をケース本体５０の端部に被せた後、取付ねじ８３を取り付けた取付具８を、エンド部材５１に取り付ける。すなわち、作業者は、第１固定部８０と連結部８２との間の空間に、エンド部材５１の外周壁５１２の上部を挿入する（図７参照）。そして、作業者は、取付具８の第１固定部８０のねじ挿通孔８０１にねじ８０４を挿通し、このねじ８０４を、ケース本体５０の後壁５００に設けられる孔を通して、固定片７０の他方のねじ孔７００にねじ込む。つまり、取付具８が固定具７に固定（ねじ止め）されることにより、取付具８の連結部８２によってエンド部材５１と防水パッキン５２が抜け止めされる（図７参照）。以上のようにして、光源ユニット２が組み立てられる。
【００３３】
次に、照明器具の施工手順について説明する。作業者は、器具本体１を天井に取り付けた後、光源ユニット２の上部（２つの取付具８の第２固定部８１よりも上側の部分）を器具本体１の第１面（下面）の開口内に挿入する（図１参照）。そして、作業者は、エンド部材５１のカバー部５１４の凹部５１４０にドライバの軸を挿入し、凹部５１４０の底壁に設けられている孔を通して、第２固定部８１のねじ挿通孔８１０に挿通されている取付ねじ８３を締め込む。その結果、取付ねじ８３が、器具本体１の取付片１３２のねじ孔１３３にねじ込まれるので、取付具８の第２固定部８１が器具本体１の取付片１３２にねじ止め（固定）される。最後に、作業者は、カバー部５１４の表面に露出している凹部５１４０の口をテープなどで塞いで目隠しすることが好ましい。このようにして、光源ユニット２が器具本体１に取り付けられることで照明器具の施工が完了する(図９Ａ、図９Ｂ、図９Ｃ参照)。
【００３４】
上述のように本実施形態に係る光源ユニット２は、光源と、光源を収容するケース５と、光源をケース５に固定するための１つ又は複数の固定具７とを備える。光源は、基板３１に複数の固体発光素子（ＬＥＤ３０）が実装されて構成される光源モジュール（ＬＥＤモジュール３）と、ＬＥＤモジュール３を支持する支持部材４とを有する。支持部材４は、長尺の矩形平板状に形成され、前面にＬＥＤモジュール３が取り付けられる底板４０と、底板４０の長手方向に沿った両端から同じ向きに突出する一対の側板４１とを有する。固定具７は、ケース５に固定される固定片７０と、側板４１に取り付けられる一対の取付片７１とを有する。取付片７１は、側板４１の板厚の方向に沿って突出する突起部７４を有する。側板４１は、突起部７４が嵌まる取付孔４５Ａ（又は４５Ｂ又は４５Ｃ）を有する。固定具７は、突起部７４が取付孔４５Ａ（又は４５Ｂ又は４５Ｃ）に嵌められることで側板４１に取り付けられるように構成される。
【００３５】
本実施形態に係る照明器具は、光源ユニット２と、光源ユニット２が取り付けられる器具本体１とを備える。
【００３６】
本実施形態に係る光源ユニット２及び照明器具は上述のように構成され、突起部７４が取付孔４５Ａ（又は４５Ｂ又は４５Ｃ）に嵌められることで固定具７を支持部材４に取り付けることができる。そのため、本実施形態に係る光源ユニット２及び照明器具は、従来例のように、支持部材に対して複数の取付金具をねじ止めする作業が不要となるので、組立作業の作業性の向上を図ることができる。
【００３７】
また、本実施形態に係る光源ユニット２において、固定具７を複数備えることが好ましい。複数の固定具７は、側板４１に対して、底板４０の長手方向に沿って移動可能に取り付けられる第１の固定具７Ａを少なくとも１つ含むことが好ましい。
【００３８】
本実施形態に係る光源ユニット２が上述のように構成されれば、ケース５と支持部材４の熱膨張率に大きな差がある場合、ケース５の伸縮に応じて、第１の固定具７Ａが支持部材４に対して長手方向に移動することができる。その結果、本実施形態に係る光源ユニット２は、熱膨張によってケース５に過大な応力が加わることを抑えることができる。
【００３９】
さらに、本実施形態に係る光源ユニット２において、ケース５を器具本体１に取り付けるための取付具８を備えることが好ましい。取付具８は、ケース５を介して固定片７０に固定される第１固定部８０と、器具本体１に固定される第２固定部８１と、第１固定部８０と第２固定部８１を連結する連結部８２とを有することが好ましい。
【００４０】
本実施形態に係る光源ユニット２が上述のように構成されれば、光源ユニット２が器具本体１に取り付けられた状態において、光源ユニット２の自重による応力が取付具８を介して固定具７にかかり、ケース５にはかからない。そのため、本実施形態に係る光源ユニット２は、ケース５の強度を必要以上に高める必要がない。
【００４１】
本実施形態に係る光源ユニット２において、第１固定部８０は、締結部材（ねじ８０４）によって固定片７０に締結されて固定されることが好ましい。一対の取付片７１は、ねじ８０４の締結方向に直交する方向から見て、それぞれの突起部７４とねじ８０４が直線上に並ぶように構成されることが好ましい（図７参照）。
【００４２】
本実施形態に係る光源ユニット２が上述のように構成されれば、天井に設置される器具本体１に取り付けられた状態において、突起部７４に対して、鉛直方向以外の応力が加わり難くなる。その結果、本実施形態に係る光源ユニット２は、突起部７４が取付孔４５Ａ、…から外れ難くなる。
【００４３】
本実施形態に係る光源ユニット２において、側板４１は、取付片７１に設けられる引掛孔７５に引っ掛けられる引掛片４６Ａ、４６Ｂ、４６Ｃ１、４６Ｃ２、４６Ｃ３を有することが好ましい。
【００４４】
本実施形態に係る光源ユニット２が上述のように構成されれば、突起部７４が取付孔４５Ａ（又は４５Ｂ又は４５Ｃ）から外れたとしても、引掛片４６Ａ、…が引掛孔７５に引っ掛かっていることで光源ユニット２が器具本体１から外れることがない。
【００４５】
本実施形態に係る光源ユニット２において、
側板４１は、第１の固定具７Ａの取付片７１に設けられる引掛孔７５に引っ掛けられる引掛片４６Ａ、４６Ｂを有することが好ましい。引掛孔７５は、引掛片４６Ａ、４６Ｂを、底板４０の長手方向に沿って移動可能に引っ掛けるように構成されることが好ましい。
【００４６】
本実施形態に係る光源ユニット２が上述のように構成されれば、熱膨張によってケース５に過大な応力が加わることを抑えることができる。
【００４７】
本実施形態に係る光源ユニット２において、複数の固定具７は、側板４１に対して、底板４０の長手方向に沿って移動しないように取り付けられる第２の固定具７Ｂを少なくとも１つ含むことが好ましい。
【００４８】
本実施形態に係る光源ユニット２が上述のように構成されれば、第２の固定具７Ｂが支持部材４に対して移動しないことにより、熱膨張によってケース５が伸縮する際、第２の固定具７Ｂを支点としてケース５が伸縮する。そのため、本実施形態に係る光源ユニット２において、支持部材４に対する第１の固定具７Ａの移動範囲を容易に推定することができる。
【００４９】
本実施形態に係る光源ユニット２において、側板４１は、第２の固定具７Ｂの取付片７１に設けられる引掛孔７５に引っ掛けられる引掛片４６Ｃ１、４６Ｃ２を有することが好ましい。第２の固定具７Ｂが有する引掛孔７５は、引掛片４６Ｃ１、４６Ｃ２よりも幅を狭くするように構成されることが好ましい。
【００５０】
本実施形態に係る光源ユニット２が上述のように構成されれば、引掛孔７５の縁に引掛片４６Ｃ１、４６Ｃ２の縁を強く押し当てることにより、支持部材４と第２の固定具７Ｂとの電気的な導通を取ることができる。
【００５１】
本実施形態に係る光源ユニット２において、第２の固定具７Ｂの引掛孔７５に引っ掛かる引掛片４６Ｃ１、４６Ｃ２、４６Ｃ３は、板厚の方向を、底板４０の長手方向と交差する方向とするように構成されることが好ましい。
【００５２】
本実施形態に係る光源ユニット２が上述のように構成されれば、底板４０の長手方向に沿った衝撃が加わった場合、引掛片の板厚方向が底板４０の長手方向と交差しない場合と比較して、引掛片４６Ｃ１、４６Ｃ２、４６Ｃ３の耐衝撃性の向上を図ることができる。
【００５３】
本実施形態に係る光源ユニット２において、固定具７は、矩形平板状の固定片７０と、固定片７０の隣り合わない２辺から突出する一対の取付片７１と、固定片７０の他の２辺から突出する一対の側壁７２とを有することが好ましい。
【００５４】
本実施形態に係る光源ユニット２が上述のように構成されれば、固定具７の機械的な強度の向上を図ることができる。
【符号の説明】
【００５５】
１  器具本体
２  光源ユニット
３  ＬＥＤモジュール（光源）
４  支持部材（光源）
５  ケース
７  固定具
７Ａ  第１の固定具
７Ｂ  第２の固定具
８  取付具
３０  ＬＥＤ（固体発光素子）
３１  基板
４０  底板
４１  側板
４５Ａ〜４５Ｃ  取付孔
４６Ａ、４６Ｂ、４６Ｃ１、４６Ｃ２、４６Ｃ３  引掛片
７０  固定片
７１  取付片
７２  側壁
７４  突起部
７５  引掛孔
８０  第１固定部
８１  第２固定部
８２  連結部
８０４  ねじ（締結部材）
【図１】
0006593747.tif 000002
【図２】
0006593747.tif 000003
【図３】
0006593747.tif 000004
【図４】
0006593747.tif 000005
【図５】
0006593747.tif 000006
【図６】
0006593747.tif 000007
【図７】
0006593747.tif 000008
【図８】
0006593747.tif 000009
【図９】
0006593747.tif 000010